(57)【特許請求の範囲】
【請求項１】
留め具と、ワイヤとを備え、前記留め具は、ベース部材と、押え部材と、締結部材とを備え、前記ベース部材は、開口部を有する板状の平板部と、前記平板部の一面上において、前記ワイヤを前記開口部に重ならないように位置させるための案内部とを備え、前記押え部材は、挿通孔を有する板状に形成され、前記締結部材は、前記平板部の前記開口部と、前記押え部材の前記挿通孔とに挿入され、前記ワイヤは、前記平板部と前記押え部材の間に挟み込まれ、前記ベース部材と前記押え部材は、前記締結部材によって、互いに引き合う向きの力が加えられるように構成されることを特徴とする落下防止装置。
【請求項２】
前記案内部は、導入孔と、導出孔とを備え、前記導入孔から導入させた前記ワイヤを、前記平板部の一面上に通らせて、前記導出孔から導出させるように構成されることを特徴とする請求項１記載の落下防止装置。
【請求項３】
前記導入孔は、第１導入孔と、第２導入孔とを含み、前記導出孔は、第１導出孔と、第２導出孔とを含み、前記第１導入孔と前記第１導出孔は、前記平板部の厚み方向から見て、前記ワイヤが前記開口部と重ならないように構成され、前記第２導入孔と前記第２導出孔は、前記平板部の厚み方向から見て、前記ワイヤが前記開口部と重ならず、且つ前記第１導入孔から前記第１導出孔へ通された前記ワイヤと前記開口部を挟んで対向するように構成されることを特徴とする請求項２記載の落下防止装置。
【請求項４】
前記締結部材は、雄ねじであって、前記雄ねじとはまり合う雌ねじが前記ベース部材の前記開口部に設けられることを特徴とする請求項１〜３の何れか一項に記載の落下防止装置。
【請求項５】
器具本体と、請求項１〜４の何れかの落下防止装置とを備え、前記ワイヤの一端が前記器具本体に固定され、前記ワイヤの他端が前記留め具によって構造物に固定されることを特徴とする照明器具。
【発明の詳細な説明】
【技術分野】
【０００１】
本発明は、落下防止装置、及び当該落下防止装置を用いた照明器具に関する。
【背景技術】
【０００２】
従来例として特許文献１記載の照明装置（照明器具）を例示する。特許文献１記載の従来例は、道路に設置される電柱、公園等に設置されるポールや、壁等の高所に取り付けられる。特許文献１記載の従来例は、防犯灯（灯具）と、灯具を電柱やポール、壁等に取り付けるためのアーム（取付金具）とを備える。取付金具は、断面コの字状の金属片によって中間部を略Ｌ字状に湾曲した湾曲部を有する。また、取付金具には、一端に取付バンドを通す通し孔が設けられる。従来例の照明器具は、例えば、電柱やポール等に取り付けられる場合、取付バンドが取付金具の通し孔に通され、電柱やポール等に巻き付けられて取り付けられる。
【０００３】
ところで、上記従来例のように高所に設置される照明器具は、万が一の落下を防止するために、通常、落下防止装置が使用されている。
【０００４】
従来の落下防止装置の一例として、ボルトクリップが存在する。ボルトクリップは、軸部に孔部を備えたボルトと、ワッシャと、ワイヤと、ナットとで構成される。
【０００５】
ボルトクリップの使用方法を簡単に説明する。ワイヤは、ボルトの孔部に通され、電柱やポール等に巻き付けられる。そして、ワイヤは、ボルトの孔部に前回と反対の向きに通されて、ワイヤと電柱やポール等との間に隙間ができないように調整されて、ナットで絞められ固定される。ワイヤの両端は、照明器具の取付金具に取り付けられる。
【０００６】
このように、仮に照明器具の取付金具が電柱やポール等から外れたとしても、落下防止装置（ボルトクリップ）によって、照明器具が落下することを防止できる。
【先行技術文献】
【特許文献】
【０００７】
【特許文献１】特開２０１２−２１６４７７号公報
【発明の概要】
【発明が解決しようとする課題】
【０００８】
ところで、上記従来例の落下防止装置においては、予めボルトに孔部を設ける加工を施す必要があることでコストが高くなる可能性がある。また、上記従来例の落下防止装置においては、ワイヤを孔部に通すのに時間がかかり、作業効率が低下するという問題が生じる。
【０００９】
本発明は、上記事由に鑑みて為されたものであり、部品コストの削減と作業効率の向上を図ることを目的とする。
【課題を解決するための手段】
【００１０】
本発明の落下防止装置は、留め具と、ワイヤとを備え、前記留め具は、ベース部材と、押え部材と、締結部材とを備え、前記ベース部材は、開口部を有する板状の平板部と、前記平板部の一面上において、前記ワイヤを前記開口部に重ならないように位置させるための案内部とを備え、前記押え部材は、挿通孔を有する板状に形成され、前記締結部材は、前記平板部の前記開口部と、前記押え部材の前記挿通孔とに挿入され、前記ワイヤは、前記平板部と前記押え部材の間に挟み込まれ、前記ベース部材と前記押え部材は、前記締結部材によって、互いに引き合う向きの力が加えられるように構成されることを特徴とする。
【００１１】
本発明の照明器具は、器具本体と、前記落下防止装置とを備え、前記ワイヤの一端が前記器具本体に固定され、前記ワイヤの他端が前記留め具によって構造物に固定されることを特徴とする。
【発明の効果】
【００１２】
本発明の落下防止装置及び照明器具は、部品コストの削減と作業効率の向上を図ることができるという効果がある。
【図面の簡単な説明】
【００１３】
【図１】本発明に係る落下防止装置及び照明器具の実施形態１を示す斜視図である。
【図２】同上の斜視図である。
【図３】同上の落下防止装置のベース部材を示し、図３Ａは正面図、図３Ｂは平面図、図３Ｃは右側面図である。
【図４】同上の落下防止装置の要部を示す分解斜視図である。
【図５】本発明に係る落下防止装置の実施形態２を示す斜視図である。
【図６】本発明に係る落下防止装置の実施形態３を示す断面図である。
【図７】同上の斜視図である。
【図８】同上の斜視図である。
【発明を実施するための形態】
【００１４】
以下、本発明に係る落下防止装置１０及び照明器具の実施形態について図１から図８を参照して詳細に説明する。
（実施形態１）
最初に、本実施形態の照明器具について、図１を参照して説明する。本実施形態の照明器具は、電柱やポール等の構造物１００の高所に取り付けられ、例えば街路灯や防犯灯として用いられる。
【００１５】
照明器具は、器具本体３０と、取付部材２０と、落下防止装置１０とを備える。さらに、照明器具は、光源ユニット（図示せず）、電源ユニット（図示せず）等を備える。器具本体３０は、ボディ３０１、カバー３０２等で構成される。
【００１６】
ボディ３０１は、ＡＳＡ（Acrylonitrile-Styrene-Acrylate resin）等の樹脂材料によって、一面が開口した箱形に形成される。ボディ３０１は、矩形状の主部３０１１と、主部３０１１の全周に亘って厚み方向に沿って立ち下がる側壁３０１２とを備える。また、側壁３０１２には、カバー３０２が嵌合可能な溝（図示せず）が形成されている。さらに、側壁３０１２には、取付部材２０と嵌合可能な溝（図示せず）が形成されている。
【００１７】
カバー３０２は、例えば、ＰＭＭＡ（Poly Methyl Methacrylate）樹脂等の透光性を有する樹脂によって、一面を開口した半筒状に形成される。カバー３０２の先端には、一対のフック３０２１が設けられる。各フック３０２１は、ボディ３０１の先端に設けられた一対の軸（図示せず）に回転可能に引っ掛けられる。そして、カバー３０２は、ボディ３０１の軸を支点として、ボディ３０１の開口を塞いだ閉位置と、ボディ３０１の開口を開放した開位置との間で回転可能にボディ３０１に取り付けられる。カバー３０２の開口の周縁には、全周に亘って、厚み方向に沿った向きに突出する突片（図示せず）が形成されている。前記突片は、カバー３０２が閉位置に在るとき、ボディ３０１の上記溝に嵌合する。
【００１８】
カバー３０２の上記突片がボディ３０１の上記嵌合溝に嵌合されることで、ボディ３０１とカバー３０２は、光源ユニット、電源ユニット、取付部材２０の一部（後述する支持部）等を収納するハウジングを構成する。
【００１９】
光源ユニットは、例えば複数のＬＥＤ（発光ダイオード）、ＬＥＤを実装するプリント配線板等で構成される。プリント配線板は、電源ユニットにケーブル等を用いて電気的に接続される。
【００２０】
電源ユニットは、外部からの交流電力を直流電力に変換するコンバータ等で構成される。電源ユニットは、変換後の直流電力を光源ユニットに供給してＬＥＤを点灯させるように構成される。
【００２１】
取付部材２０は、例えば、鋼板等の金属板から形成され、矩形の主板２００と、一対の側板２０４とを有する。各側板２０４は、主板２００の長手方向に沿った両辺から各々厚み方向に沿って立ち上がるように形成される。取付部材２０は、ボディ３０１を支持する支持部（図示せず）と、構造物に取り付けられる取付部２０Ａとを有する。前記支持部は、ねじ止めされる等してボディ３０１に取り付けられ、器具本体３０の中に収納される。取付部２０Ａは、器具本体３０の外に露出しており、構造物１００に取り付けられる。取付部２０Ａは、図１に示すように、支持部を一定の角度（例えば６０度以上）で傾かせるように湾曲している。取付部２０Ａの主板２００には、それぞれに、ねじ６１，６２，６３が挿通される３つの挿通孔２０１，２０２，２０３が設けられる。
【００２２】
取付部材２０は、図１に示すように、取付金具Ｂ１を用いて構造物１００に取り付けられる。取付金具Ｂ１は、鋼板等の金属板から形成され、矩形の主板Ｂ１０と、一対の側板Ｂ１１とを有する。側板Ｂ１１は、主板Ｂ１０の左右両端縁から厚み方向に沿った向きに突出するように形成される。各側板Ｂ１１には、長手方向を上下方向とするスリットＢ１１１が設けられる。さらに、主板Ｂ１０には、３つの雌ねじ（図示せず）が設けられる。
【００２３】
次に、照明器具を構造物１００に取り付ける方法を説明する。
【００２４】
まず、作業者は、構造物１００にベルトＢ２を巻き付けて、ベルトＢ２を取付金具Ｂ１のスリットＢ１１１に通して取付金具Ｂ１を構造物１００に固定させる。そして、作業者は、取付金具Ｂ１の主板Ｂ１０と取付部材２０の取付部２０Ａの主板２００とを重ね合わせ、取付部２０Ａの各挿通孔２０１，２０２，２０３に挿通したねじ６１，６２，６３を取付金具Ｂ１の各雌ねじにねじ込むことで、取付部材２０を取付金具Ｂ１にねじ止めする。
【００２５】
なお、取付部材２０の側板２０４には、一対の矩形状のスリット２０５が設けられても良い。照明器具を取付金具Ｂ１を用いず構造物１００に取り付ける場合、作業者は、構造物１００にベルトＢ２を巻き付けて、ベルトＢ２を取付部材２０のスリット２０５に通して、器具本体３０を構造物１００に固定させる。
【００２６】
次に、本実施形態の落下防止装置１０について、図１から図４を参照して説明する。なお、以下の説明では、図４に示す向きにおいて、それぞれ上下左右及び前後方向を規定する。
【００２７】
落下防止装置１０は、留め具１と、ワイヤ２とを備える。留め具１は、ベース部材３と、押え部材４と、締結部材５とを備える。
【００２８】
ベース部材３は、平板部３１と、側壁部と、案内部とを備える。
【００２９】
平板部３１は、金属材料によって、中央に円形の開口部３１１が設けられた矩形の板状に形成される。開口部３１１の内周面には、雌ねじが設けられている。
【００３０】
側壁部は、第１側壁部３２と、第２側壁部３３とを有する。第１側壁部３２は、平板部３１の前端縁から上向きに立ち上がるように形成される。第２側壁部３３は、平板部３１の後端縁から上向きに立ち上がるように形成される。第１側壁部３２及び第２側壁部３３は、左右の両端に側部３２１，３３１が設けられても良い。なお、第１側壁部３２及び第２側壁部３３は、金属板が曲げ加工されることで平板部３１と一体に形成されることが好ましい。
【００３１】
案内部は、導入孔と、導出孔とを有し、平板部３１に対してワイヤ２の位置を規制するように構成される。導入孔及び導出孔にワイヤ２が通されることで、平板部３１上においてワイヤ２が移動できる範囲が限定される。導入孔は、第１導入孔３４１と、第２導入孔３４２とを含む。導出孔は、第１導出孔３５１と、第２導出孔３５２を含む。第１導入孔３４１及び第２導出孔３５２は、長円形であって、平板部３１と第１側壁部３２とに跨って開口される。また、第２導入孔３４２及び第１導出孔３５１は、長円形であって、平板部３１と第２側壁部３３とに跨って開口される。ただし、案内部（第１導入孔３４１、第２導入孔３４２、第１導出孔３５１、第２導出孔３５２）の形状は、本実施形態に限定されない。
【００３２】
ワイヤ２は、平板部３１の外から第１導入孔３４１に導入され、第１導出孔３５１を通して平板部３１の外に導出される。同様に、ワイヤ２は、平板部３１の外から第２導入孔３４２に導入され、第２導出孔３５２を通して平板部３１の外に導出される。
【００３３】
第１導入孔３４１及び第１導出孔３５１は、平板部３１の厚み方向から見て、ワイヤ２が開口部３１１と重ならないように構成される。第２導入孔３４２及び第２導出孔３５２は、平板部３１の厚み方向から見て、ワイヤ２が開口部３１１と重ならず、且つ第１導入孔３４１から第１導出孔３５１へ通されたワイヤ２と開口部３１１を挟んで対向するように構成される。
【００３４】
押え部材４は、金属材料によって、中心に円形の挿通孔４１を有する円盤形状に形成される。また、押え部材４の直径は、ベース部材３の第１側壁部３２から第２側壁部３３までの距離よりも小さく形成される。挿通孔４１は、ベース部材３の開口部３１１と同様に、締結部材５のねじ部５２よりも大きく、頭部５１よりも小さく形成される。
【００３５】
締結部材５は、頭部５１と、ねじ部５２とを有する金属性の雄ねじである。頭部５１は、十字穴５１１を有する。ねじ部５２は、平板部３１の開口部３１１と、押え部材４の挿通孔４１とに挿入される。締結部材５のねじ部５２は、プラスドライバを用いて、開口部３１１の雌ねじに締め込まれる。なお、押え部材４と締結部材５は、座金付のボルトのように一体に形成されても良い。
【００３６】
ワイヤ２は、金属材料によって形成され、一方の端にリングフック２１を備えても良い（図１参照）。
【００３７】
本実施形態の落下防止装置１０において、ワイヤ２にリングフック２１が用いられたときの使い方について、図１及び図４を参照して説明する。
【００３８】
作業者は、図１に示すように、ワイヤ２のリングフック２１が設けられている一端を、照明器具の取付金具Ｂ１の上部開口部からスリットＢ１１１に通して外側に取り出す。作業者は、取り付け金具Ｂ１の上部開口部から出ているワイヤ２の他端をリングフック２１に通す。このようにして、ワイヤ２の一端は、取付金具Ｂ１に固定される。作業者は、ワイヤ２の他端をベース部材３の第１導入孔３４１に導入し、第１導出孔３５１から導出させる。そして、作業者は、ワイヤ２を構造物１００に２〜３周巻き付ける。さらに、作業者は、ワイヤ２の他端を第２導入孔３４２に導入し、第２導出孔３５２から導出させる。次に、作業者は、平板部３１の上に押え部材４を重ね合わせ、締結部材５のねじ部５２を押え部材４の上方から挿通孔４１と開口部３１１とに挿入し、プラスドライバを用いて締結部材５を開口部３１１に締め込む。その結果、ワイヤ２は、ベース部材３と押え部材４との間で押さえつけられて支持される。
【００３９】
このように落下防止装置１０を使用した場合、作業者は、ワイヤ２を締めあげることが容易にできる。
【００４０】
また、実施形態の落下防止装置１０において、リングフック２１が用いられない場合について、図２及び図４を参照して説明する。
【００４１】
作業者は、ワイヤ２の一端を、照明器具の取付金具Ｂ１のスリットＢ１１１に外側から内側に通す。作業者は、ワイヤ２の両端を、それぞれ１周ずつ構造物１００に巻き付ける。この場合、作業者は、ワイヤ２の一端は時計回りに、他端は反時計回りというように、各端を反対方向に巻き付ける。そして、作業者は、ワイヤ２の一端をベース部材３の第１導入孔３４１に導入し、第１導出孔３５１から導出させる。さらに、作業者は、ワイヤ２の他端を第２導入孔３４２に導入し、第２導出孔３５２から導出させる。次に、作業者は、平板部３１の上に押え部材４を重ね合わせ、締結部材５のねじ部５２を押え部材４の上方から挿通孔４１と開口部３１１とに挿入し、プラスドライバを用いて締結部材５を開口部３１１に締め込む。その結果、ワイヤ２は、ベース部材３と押え部材４との間で押さえつけられて支持される。この場合、ワイヤ２の弛みをよりなくしてワイヤ２を固定することが可能である。
【００４２】
このように落下防止装置１０を使用した場合、留め具１と構造物１００がより密接するので、ワイヤ２が弛み難くなる。ゆえに、ベルトＢ２が緩んだり、外れたりして照明器具が下方に移動した場合、照明器具の移動距離が少なくなり、安全性が高まる。
【００４３】
ところで、取付金具Ｂ１を用いない場合、落下防止装置１０は、取付金具Ｂ１のスリットＢ１１１の代わりに、取付部材のスリット２０５にワイヤ２を通して取り付けられる。
【００４４】
このように、従来例（ボトルクリップ）とは異なり、本実施形態の締結部材５には、予めワイヤ２を通す孔を加工する必要がない。さらに、従来例は、雄ねじと、ナットと、３つのワッシャと、ワイヤの６点で構成されている。これに対し、本実施形態の落下防止装置１０は、ベース部材３と、押え部材４と、締結部材５と、ワイヤ２の４点で構成されている。さらに、本実施形態の落下防止装置１０は、押え部材４と締結部材５が一体に形成された場合、ベース部材３とワイヤ２とを含めた３点で構成される。つまり、本実施形態の落下防止装置１０の部品点数は、従来例の部品点数よりも少ない。したがって、上記２つの理由から、本実施形態の落下防止装置１０は、部品コストの削減が期待できる。
【００４５】
本実施形態の落下防止装置１０は、留め具１と、ワイヤ２とを備える。留め具１は、ベース部材３と、押え部材４と、締結部材５とを備える。ベース部材３は、開口部３１１を有する板状の平板部３１と、平板部３１の一面上において、ワイヤ２を開口部３１１に重ならないように位置させるための案内部とを備える。押え部材４は、挿通孔４１を有する板状に形成される。締結部材５は、平板部３１の開口部３１１と、押え部材４の挿通孔４１とに挿入される。ワイヤ２は、平板部３１と押え部材４の間に挟み込まれる。ベース部材３と押え部材４は、締結部材５によって、互いに引き合う向きの力が加えられるように構成される。
【００４６】
したがって、本実施形態の落下防止装置１０は、従来例とは異なり、締結部材５に、予めワイヤ２を通す孔を加工する必要がなく、また、従来例と比較して、部品数が少ないので、部品コストの削減が期待できる。
【００４７】
本実施形態の落下防止装置１０において、案内部は、導入孔と、導出孔とを備えることが好ましい。導入孔から導入させたワイヤ２を、平板部３１の一面上に通らせて、導出孔から導出させるように構成されることが好ましい。
【００４８】
本実施形態の落下防止装置１０において、導入孔は、第１導入孔３４１と、第２導入孔３４２とを含むことが好ましい。導出孔は、第１導出孔３５１と、第２導出孔３５２とを含むことが好ましい。第１導入孔３４１と第１導出孔３５１は、平板部３１の厚み方向から見て、ワイヤ２が開口部３１１と重ならないことが好ましい。第２導入孔３４２と第２導出孔３５２は、平板部３１の厚み方向から見て、ワイヤ２が開口部３１１と重ならず、且つ第１導入孔３４１から第１導出孔３５１へ通されたワイヤ２と開口部３１１を挟んで対向するように構成されることが好ましい。
【００４９】
したがって、本実施形態の落下防止装置１０では、導入孔３４１，３４２及び導出孔３５１，３５２にワイヤ２を通すことで、ワイヤ２の位置が規制されるので、作業者は、締結作業を容易に行うことができる。ゆえに、本実施形態の落下防止装置１０は、作業効率の向上が期待できる。
【００５０】
本実施形態の落下防止装置１０において、締結部材５は、雄ねじであって、雄ねじとはまり合う雌ねじがベース部材３の開口部３１１に設けられることが好ましい。
【００５１】
したがって、本実施形態の落下防止装置１０では、ベース部材３の開口部３１１に雌ねじが形成されていることで、ナット等の部材が必要なく、部品点数を減らすことが可能である。ゆえに、本実施形態の落下防止装置１０は、部品点数を少なくすることで、部品コストの削減と、作業効率の向上が期待できる。ただし、締結部材５は、ねじに限定されず、リベット等をでも構わない。
【００５２】
本実施形態の照明器具は、器具本体３０と、落下防止装置１０とを備える。ワイヤ２の一端が器具本体３０に固定され、ワイヤ２の他端が留め具１によって構造物１００に固定される。
【００５３】
したがって、本実施形態の照明器具において、作業者が高所での作業、つまり自由に身動きがとり難い作業環境においても、留め具１にワイヤ２を取り付けること容易になり、作業効率の向上が期待できる。
（実施形態２）
以下、本発明に係る落下防止装置１０の実施形態２について、図５を参照して説明する。なお、実施形態１と重複する構成については同じ符号を付け、詳しい説明は省略する。また、以下の説明では、図５に示す向きにおいて、それぞれ上下左右及び前後方向を規定する。
【００５４】
実施形態１の留め具１では、作業者がベース部材３の第１側壁部３２及び第２側壁部３３を手で持とうとした場合、ワイヤ２が邪魔になってベース部材３が扱い難い。そこで、本実施形態の留め具１において、ベース部材３に突片３１２が設けられることが好ましい。突片３１２は、平板部３１の左右両側の端縁から下向きに立ち下がるように形成される。
作業者は、突片３１２に指を掛けることで、ワイヤ２に邪魔されずにベース部材３を持つことができる。したがって、本実施形態の落下防止装置１０は、作業者にとって、ベース部材３の取り扱いがさらに容易になるので、作業効率の向上が期待できる。
（実施形態３）
以下、本発明に係る落下防止装置１０の実施形態３について、図６から図８を参照して説明する。なお、本実施形態は、押え部材４の構造に特徴があり、その他の構成は、実施形態１と共通である。ゆえに、実施形態１と重複する構成については同じ符号を付け、詳しい説明は省略する。また、以下の説明では、図６、図７、図８に示す向きにおいて、それぞれ上下左右及び前後方向を規定する。さらに、図６に示す向きにおいて、手前側が前側とする。
【００５５】
押え部材４は、主部４２と、脚部４３とを備える。主部４２は、中央に締結部材５が挿入される挿通孔が設けられた矩形板状に形成される。主部４２には、主部４２の左右両側の端縁から下向きに立ち下がる一対の脚部４３が形成される。
【００５６】
押え部材４は、脚部４３がベース部材３の側壁部３２，３３にぶつからないように、脚部４３が下に向くように、ベース部材３の上方からベース部材３に重ね合わせられる。
【００５７】
したがって、本実施形態の落下防止装置１０は、脚部４３を設けることで、作業者が押え部材４を手で持ち易くなるように形成されているので、作業効率の向上が期待できる。
【符号の説明】
【００５８】
１  留め具
２  ワイヤ
３  ベース部材
４  押え部材
５  締結部材
１０  落下防止装置
【図１】
0006355045.tif 000002
【図２】
0006355045.tif 000003
【図３】
0006355045.tif 000004
【図４】
0006355045.tif 000005
【図５】
0006355045.tif 000006
【図６】
0006355045.tif 000007
【図７】
0006355045.tif 000008
【図８】
0006355045.tif 000009